【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
電力系統に接続された複数の需給調整装置の動作を制御する制御装置と通信する制御支援装置であって、
前記需給調整装置の状態を表す状態情報と前記電力系統の需給調整情報を受信する通信手段と、
前記状態情報に基づいて動作制御情報を生成し、また前記需給調整情報に基づいて調整電力情報を生成する演算手段と、
を有し、
前記通信手段は、前記調整電力情報と前記動作制御情報とを前記需給調整装置に送信する制御支援装置。
【請求項２】
前記電力系統の需給調整情報は、前記電力系統と他の電力系統とを接続している連系線の潮流または系統周波数の少なくともいずれか１つに基づいて決定された調整電力または調整電力量である請求項１に記載の制御支援装置。
【請求項３】
電力系統に接続された複数の需給調整装置の動作を制御する制御装置と通信する制御支援装置であって、
前記需給調整装置の状態を表す状態情報を受信する通信手段と、
前記状態情報に基づいて動作制御情報を生成する演算手段と、
を有し、
前記通信手段は、双方向通信または片方向通信を用いて、前記動作制御情報と調整電力情報とを前記需給調整装置に送信する制御支援装置。
【請求項４】
前記通信手段は、前記動作制御情報を送信する時間間隔以下の時間間隔で、前記調整電力情報を送信する請求項３に記載の制御支援装置。
【請求項５】
前記電力系統の状態を把握する把握手段を備え、
前記演算手段は、前記状態情報と前記電力系統の状態とに基づいて前記動作制御情報を生成する請求項３に記載の電池制御支援装置。
【請求項６】
前記電力系統の状態を把握する把握手段を備え、
前記演算手段は、前記電力系統の状態、または前記電力系統の状態と前記状態情報とに基づいて前記調整電力情報を生成する請求項３に記載の電池制御支援装置。
【請求項７】
前記電力系統の状態は、中央給電指令所からの信号情報を含む請求項５または６に記載の電池制御支援装置。
【請求項８】
前記通信手段は、前記需給調整装置から前記状態情報を受信し、前記需給調整装置に前記動作制御情報を送信する送受信処理を所定時間間隔で実行する請求項３から７のいずれか１項に記載の電池制御支援装置。
【請求項９】
電力系統に接続された複数の需給調整装置の動作を制御する制御装置と通信する制御支援装置であって、
前記需給調整装置の状態を表す状態情報を受信する通信手段と、
前記状態情報に基づいて、Ｎ（Ｎは２以上の数）個の前記制御装置にて制御される需給調整装置全体の分担電力情報に対する各需給調整装置の分担電力情報と、調節電力情報の対応関係を表す動作制御情報を生成する演算手段と、
を有し、
前記通信手段は、前記動作制御情報と前記調整電力情報とを前記需給調整装置に送信する制御支援装置。
【請求項１０】
電力系統に接続された複数の需給調整装置の動作を制御する制御装置と通信する制御支援装置であって、
前記需給調整装置の状態を表す状態情報を受信する通信手段と、
前記状態情報に基づいて劣化が進みやすい需給調整装置ほど、前記需給調整装置の動作負担を少なくする動作制御情報を生成する演算手段と、
を有し、
前記通信手段は、前記動作制御情報と調整電力情報とを前記需給調整装置に送信する制御支援装置。
【請求項１１】
電力系統に接続された複数の需給調整装置の動作を制御する制御装置と通信する制御支援装置が行う制御支援方法であって、
前記需給調整装置の状態を表す状態情報と前記電力系統の需給調整情報を受信する通信ステップと、
前記状態情報に基づいて動作制御情報を生成し、また前記需給調整情報に基づいて調整電力情報を生成する演算ステップと、
を有し、
前記通信ステップでは、前記調整電力情報と前記動作制御情報とを前記需給調整装置に送信する制御支援方法。
【請求項１２】
電力系統に接続された複数の需給調整装置の動作を制御する制御装置と通信する制御支援装置が行う制御支援方法であって、
前記需給調整装置の状態を表す状態情報を受信する通信ステップと、
前記状態情報に基づいて動作制御情報を生成する演算ステップと、
を有し、
前記通信ステップでは、双方向通信または片方向通信を用いて、前記動作制御情報と調整電力情報とを前記需給調整装置に送信する制御支援方法。
【請求項１３】
電力系統に接続された複数の需給調整装置の動作を制御する制御装置と通信する制御支援装置が行う制御支援方法であって、
前記需給調整装置の状態を表す状態情報を受信する通信ステップと、
前記状態情報に基づいて、Ｎ（Ｎは２以上の数）個の前記制御装置にて制御される需給調整装置全体の分担電力情報に対する各需給調整装置の分担電力情報と、調節電力情報の対応関係を表す動作制御情報を生成する演算ステップと、
を有し、
前記通信ステップでは、前記動作制御情報と前記調整電力情報とを前記需給調整装置に送信する制御支援方法。
【請求項１４】
電力系統に接続された複数の需給調整装置の動作を制御する制御装置と通信する制御支援装置が行う制御支援方法であって、
前記需給調整装置の状態を表す状態情報を受信する通信ステップと、
前記状態情報に基づいて劣化が進みやすい需給調整装置ほど、前記需給調整装置の動作負担を少なくする動作制御情報を生成する演算ステップと、
を有し、
前記通信ステップでは、前記動作制御情報と調整電力情報とを前記需給調整装置に送信する制御支援方法。
【手続補正２】
【補正対象書類名】明細書
【補正対象項目名】発明の名称
【補正方法】変更
【補正の内容】
【発明の名称】制御支援装置及び方法
【手続補正３】
【補正対象書類名】明細書
【補正対象項目名】０００１
【補正方法】変更
【補正の内容】
【０００１】
本発明は、電力系統に接続された複数の需給調整装置の動作を制御する制御装置と通信する制御支援装置及び方法に関する。
【手続補正４】
【補正対象書類名】明細書
【補正対象項目名】００１６
【補正方法】変更
【補正の内容】
【００１６】
本発明の目的は、上記課題を解決可能な制御支援装置及び方法を提供することである。
【手続補正５】
【補正対象書類名】明細書
【補正対象項目名】００１７
【補正方法】変更
【補正の内容】
【００１７】
本発明の制御支援装置は、電力系統に接続された複数の需給調整装置の動作を制御する制御装置と通信する制御支援装置であって、
前記需給調整装置の状態を表す状態情報と前記電力系統の需給調整情報を受信する通信手段と、
前記状態情報に基づいて動作制御情報を生成し、また前記需給調整情報に基づいて調整電力情報を生成する演算手段と、
を有し、
前記通信手段は、前記調整電力情報と前記動作制御情報とを前記需給調整装置に送信する。
【手続補正６】
【補正対象書類名】明細書
【補正対象項目名】００１８
【補正方法】変更
【補正の内容】
【００１８】
または、本発明の制御支援装置は、電力系統に接続された複数の需給調整装置の動作を制御する制御装置と通信する制御支援装置であって、
前記需給調整装置の状態を表す状態情報を受信する通信手段と、
前記状態情報に基づいて動作制御情報を生成する演算手段と、
を有し、
前記通信手段は、双方向通信または片方向通信を用いて、前記動作制御情報と調整電力情報とを前記需給調整装置に送信する。
【手続補正７】
【補正対象書類名】明細書
【補正対象項目名】００１９
【補正方法】変更
【補正の内容】
【００１９】
または、本発明の制御支援装置は、電力系統に接続された複数の需給調整装置の動作を制御する制御装置と通信する制御支援装置であって、
前記需給調整装置の状態を表す状態情報を受信する通信手段と、
前記状態情報に基づいて、Ｎ（Ｎは２以上の数）個の前記制御装置にて制御される需給調整装置全体の分担電力情報に対する各需給調整装置の分担電力情報と、調節電力情報の対応関係を表す動作制御情報を生成する演算手段と、
を有し、
前記通信手段は、前記動作制御情報と前記調整電力情報とを前記需給調整装置に送信する。
【手続補正８】
【補正対象書類名】明細書
【補正対象項目名】００２０
【補正方法】変更
【補正の内容】
【００２０】
または、本発明の制御支援装置は、電力系統に接続された複数の需給調整装置の動作を制御する制御装置と通信する制御支援装置であって、
前記需給調整装置の状態を表す状態情報を受信する通信手段と、
前記状態情報に基づいて劣化が進みやすい需給調整装置ほど、前記需給調整装置の動作負担を少なくする動作制御情報を生成する演算手段と、
を有し、
前記通信手段は、前記動作制御情報と調整電力情報とを前記需給調整装置に送信する。
【手続補正９】
【補正対象書類名】明細書
【補正対象項目名】００２１
【補正方法】変更
【補正の内容】
【００２１】
本発明の制御支援方法は、電力系統に接続された複数の需給調整装置の動作を制御する制御装置と通信する制御支援装置が行う制御支援方法であって、
前記需給調整装置の状態を表す状態情報と前記電力系統の需給調整情報を受信する通信ステップと、
前記状態情報に基づいて動作制御情報を生成し、また前記需給調整情報に基づいて調整電力情報を生成する演算ステップと、
を有し、
前記通信ステップでは、前記調整電力情報と前記動作制御情報とを前記需給調整装置に送信する。
【手続補正１０】
【補正対象書類名】明細書
【補正対象項目名】００２２
【補正方法】変更
【補正の内容】
【００２２】
または、本発明の制御支援方法は、電力系統に接続された複数の需給調整装置の動作を制御する制御装置と通信する制御支援装置が行う制御支援方法であって、
前記需給調整装置の状態を表す状態情報を受信する通信ステップと、
前記状態情報に基づいて動作制御情報を生成する演算ステップと、
を有し、
前記通信ステップでは、双方向通信または片方向通信を用いて、前記動作制御情報と調整電力情報とを前記需給調整装置に送信する。
【手続補正１１】
【補正対象書類名】明細書
【補正対象項目名】００２３
【補正方法】変更
【補正の内容】
【００２３】
または、本発明の制御支援方法は、電力系統に接続された複数の需給調整装置の動作を制御する制御装置と通信する制御支援装置が行う制御支援方法であって、
前記需給調整装置の状態を表す状態情報を受信する通信ステップと、
前記状態情報に基づいて、Ｎ（Ｎは２以上の数）個の前記制御装置にて制御される需給調整装置全体の分担電力情報に対する各需給調整装置の分担電力情報と、調節電力情報の対応関係を表す動作制御情報を生成する演算ステップと、
を有し、
前記通信ステップでは、前記動作制御情報と前記調整電力情報とを前記需給調整装置に送信する。
【手続補正１２】
【補正対象書類名】明細書
【補正対象項目名】００２４
【補正方法】変更
【補正の内容】
【００２４】
または、本発明の制御支援方法は、電力系統に接続された複数の需給調整装置の動作を制御する制御装置と通信する制御支援装置が行う制御支援方法であって、
前記需給調整装置の状態を表す状態情報を受信する通信ステップと、
前記状態情報に基づいて劣化が進みやすい需給調整装置ほど、前記需給調整装置の動作負担を少なくする動作制御情報を生成する演算ステップと、
を有し、
前記通信ステップでは、前記動作制御情報と調整電力情報とを前記需給調整装置に送信する。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】